(57)【要約】  ヒューズによる電力制限、フィルタリング、シールディング及び信号ラインインピーダンスの制御の内の１つ又はそれ以上の機能を内部的に組み入れることによりグラフィック性能を高めた改善されたＶＧＡコネクタ。この改善されたＶＧＡコネクタは、標準のＶＧＡコネクタの多くの態様と寸法的に互換しうるもので、相手となるコネクタに嵌合する標準のピンアウトを使用している。一体型のＤＡＣが含まれ、アナログ出力を行うことができる。【選択図】図２
2008510279.tif 000002
【特許請求の範囲】
【請求項１】
複数の細長いピンと、
前記細長いピンを保持するためのピン保持構造体と、
導電性シュラウドと、
導電性シールドと、
を備えたビデオグラフィックコネクタであって、
前記導電性シュラウド及び前記導電性シールドは、静電遮蔽を行い、
当該ビデオグラフィックコネクタは、相手となる標準のビデオグラフィックコネクタに嵌合する寸法とされる、ビデオグラフィックコネクタ。
【請求項２】
当該ビデオグラフィックコネクタ内の相互接続手段と、
複数のコネクタピンと、
を更に含み、
前記相互接続手段は、前記複数の細長いピンと前記複数のコネクタピンとの間の電気的接続を行う、請求項１に記載のビデオグラフィックコネクタ。
【請求項３】
前記相互接続手段は、出力パワーをヒューズにより制限しフィルタリングするためのヒューズ付きのパワーラインフィルタを含む、請求項２に記載のビデオグラフィックコネクタ。
【請求項４】
前記相互接続手段は、アナログ出力をフィルタリングするためのアナログ信号フィルタを含む、請求項２に記載のビデオグラフィックコネクタ。
【請求項５】
前記相互接続手段は、ロジック信号をフィルタリングするためのロジックフィルタを含む、請求項２に記載のビデオグラフィックコネクタ。
【請求項６】
前記相互接続手段は、アナログ出力を行うためのデジタル−アナログコンバータを含む、請求項２に記載のビデオグラフィックコネクタ。
【請求項７】
内部空間を形成するシールドと、
前記シールドから延び、各々が前記内部空間内に曲がり部を有する細長い雌ピンを有するモールドアセンブリと、
前記シールドを越して延びている前記モールドアセンブリの部分に亘って延びるシュラウドと、
前記シールドから延びる複数の板コネクタと、
前記内部空間にあって、複数の前記雌コネクタと前記板コネクタとの間の電気的接続を行うための相互接続手段と、
を備えるビデオグラフィックコネクタ。
【請求項８】
前記内部空間に配置されるねじ溝を有するフォーク状ねじ溝構造体を更に含み、
前記シールド及び前記シュラウドは、前記ねじ溝と整列するねじ開口を含んでおり、
前記フォーク状ねじ溝構造体は、外部構造体に取り付けできるように前記シールドから部分的に延び、
当該ビデオグラフィックコネクタは、相手となる標準のビデオグラフィックコネクタに嵌合する寸法とされる、請求項７に記載のビデオグラフィックコネクタ。
【請求項９】
前記シュラウド及び前記シールドは、静電遮蔽を行う、請求項７に記載のビデオグラフィックコネクタ。
【請求項１０】
前記相互接続手段は、出力パワーをヒューズにより制限しフィルタリングするためのヒューズ付きのパワーラインフィルタを含む、請求項７に記載のビデオグラフィックコネクタ。
【請求項１１】
前記相互接続手段は、アナログ出力をフィルタリングするためのアナログ信号フィルタを含む、請求項７に記載のビデオグラフィックコネクタ。
【請求項１２】
前記相互接続手段は、ロジック信号をフィルタリングするためのロジックフィルタを含む、請求項７に記載のビデオグラフィックコネクタ。
【請求項１３】
前記相互接続手段は、アナログ出力を行うためのデジタル−アナログコンバータを含む、請求項７に記載のビデオグラフィックコネクタ。
【請求項１４】
グラフィックカードと、
前記グラフィックカード上にあってロジック信号を与えるためのロジックデバイスと、
前記グラフィックカード上のＶＧＡコネクタと、
を備え、
前記ＶＧＡコネクタは、
内部空間を形成するシールドと、
前記シールドから延び、各々が前記内部空間内に曲がり部を有する複数の細長い雌ピンを有するモールドアセンブリと、
前記シールドから延びている前記モールドアセンブリの部分に亘って延びるシュラウドと、
前記シールドを通して延びる複数の板コネクタと、
前記内部空間にあって、複数の前記雌コネクタと前記板コネクタとの間の電気的接続を行うための相互接続手段と、
前記相互接続手段におけるデジタル−アナログコンバータと、
を備え、
前記ロジック信号は、前記ロジックデバイスから、前記複数の板コネクタのうちの少なくとも１つのコネクタを通して、前記デジタル−アナログコンバータへ作動的に通過し、更に、
前記デジタル−アナログコンバータは、前記ロジック信号を、前記細長い雌ピンのうちの１つに印加されるアナログ電圧へと変換する、ビデオグラフィックカードアセンブリ。
【請求項１５】
前記シュラウド及び前記シールドは、静電遮蔽を行う、請求項１４に記載のビデオグラフィックカードアセンブリ。
【請求項１６】
前記相互接続手段は、出力パワーをヒューズにより制限しフィルタリングするためのヒューズ付きのパワーラインフィルタを含む、請求項１４に記載のビデオグラフィックカードアセンブリ。
【請求項１７】
前記相互接続手段は、アナログ出力をフィルタリングするためのアナログ信号フィルタを含む、請求項１４に記載のビデオグラフィックカードアセンブリ。
【請求項１８】
前記相互接続手段は、前記ロジック信号をフィルタリングするためのロジックフィルタを含む、請求項１４に記載のビデオグラフィックカードアセンブリ。
【請求項１９】
前記内部空間に配置されるねじ溝を有するフォーク状ねじ溝構造体を更に含み、
前記シールド及び前記シュラウドは、前記ねじ溝と整列するねじ開口を含み、
前記フォーク状ねじ溝構造体は、前記シールドから部分的に延びて前記ＶＧＡコネクタを前記グラフィックカードに取り付け、更に、
前記ＶＧＡコネクタは、相手となる標準のビデオグラフィックコネクタに嵌合する寸法とされる、請求項１４に記載のビデオグラフィックカードアセンブリ。
【発明の詳細な説明】
【発明の分野】
【０００１】
本発明は、コンピュータコネクタに関する。特に、本発明の実施形態は、一体型の電子的構成要素を有するＶＧＡコネクタに関する。
【発明の背景】
【０００２】
ほとんど全てのパーソナルコンピュータは、同じ型の１５ピンディスプレイコネクタを使用している。このコネクタは元々ＩＢＭ  ＶＧＡカードに使用されていたので、このコネクタは、単にＶＧＡコネクタと称されることが多い。ＶＧＡコネクタがこのように広く使用されているので、このＶＧＡコネクタは、異なるグラフィックディスプレイエレクトロニクス供給者が異なるディスプレイ供給者によるディスプレイに嵌合する装置を提供できるようにする標準部品となった。
【０００３】
このＶＧＡコネクタは何年もの間に亘って非常に上手くいっていたものであるが、ディスプレイ及びこれらディスプレイを駆動するコンピュータシステムが進歩してくるにつれて、このＶＧＡコネクタの重要性も増し、それに伴い幾つかの問題点も出てきた。第１に、このＶＧＡコネクタは、高解像度ビデオグラフィックシステムに対して特に十分に適したものとなっていない。これは、ＶＧＡコネクタが十分に定められ且つ制御されたインピーダンス特性を与えないからである。
【０００４】
ＶＧＡコネクタのもう１つ別の問題点は、典型的に、これらＶＧＡコネクタを使用するビデオグラフィックシステムにおいて、ＶＧＡコネクタピンに通された信号を種々フィルタリングする必要があることである。このこと自体は問題でないのであるが、異なる供給者が異なる性能特性を有するフィルタを使用するので、ＶＧＡコネクタによって与えられる「標準」が、広範囲に亘って変化する電子インターフェイスにより標準でなくなってしまう。２つの供給者が仮に同一のフィルタを使用するとしても、一方の供給者は、高品質のフィルタリングを行うさらに高品質の構成要素を使用するかもしれないのに対し、他方の供給者は、比較的に品質の低いフィルタリングを行うさらに品質の低い構成要素を使用するかもしれないのである。もう１つ別の問題点として、ＶＧＡ信号がシールディングを必要としているのに、標準のＶＧＡコネクタは、有効的な信号シールディングを行わないということがある。
【０００５】
ＶＧＡコネクタを使用する場合における、更にもう１つ別の問題点は、それらが制御された信号路をサポートしないことである。例えば、２つの異なるディスプレイカード製造者が、ビデオ駆動装置、典型的には、デジタル−アナログコンバータ（ＤＡＣ）とＶＧＡコネクタとの間に亘って異なる信号路を使用するかもしれないのである。
【０００６】
インピーダンス特性、信号シールディング、信号路長及びＶＧＡ信号フィルタが制御されずに異なっているのでは、主たるデバイス供給者に対する品質信頼性が大きく損なわれてしまう。例えば、多くの異なる製造者が、別の会社によって供給されるグラフィックプロセッサデバイスを使用するビデオグラフィックカードを供給することがありうる。実際に、そのカードに関連してその会社の名前が明確に表示されることが多い。品質の悪いＶＧＡコネクタ、フィルタ及び制御されていない信号路長は著しく悪い性能を与えることがあるので、デバイス供給者の評判が、ＶＧＡコネクタに関連した要因によって傷つけられてしまうことがある。
【０００７】
従って、改良されたＶＧＡコネクタが要望される。信号シールディングを行う改良されたＶＧＡコネクタも更に要望される。また、電子フィルタ及びデジタル−アナログコンバータの如き内部電子部品を設けた改良されたＶＧＡコネクタも要望される。又、制御されたアナログ信号路長をサポートするＶＧＡコネクタも要望される。
【発明の概要】
【０００８】
本発明の原理によれば、改良されたＶＧＡコネクタが提供される。本発明の原理による実施形態によれば、ヒューズによる電力制限、フィルタリング、シールディング及び信号ラインインピーダンスの制御の内の１つ又はそれ以上の機能を内部的に組み入れることによってグラフィック性能を高めたＶＧＡコネクタが提供される。本発明のＶＧＡコネクタの実施形態は、寸法的に標準のＶＧＡコネクタの多くの態様と互換しうるものであり、相手となるコネクタに嵌合する標準のピンアウトを使用している。少なくともいくつかの実施形態は、一体型のＤＡＣを含み、アナログ出力を行うようにする。
【０００９】
前述したような本発明の特徴について詳細に理解されうるように、前述のように簡単に要約的に述べた本発明について、添付図面に幾つかを例示している実施形態を参照してより特定的に以下説明する。しかしながら、添付図面は、本発明の典型的な実施形態のみを例示しているのであって、従って、本発明の範囲をこれに限定するものでなく、本発明は、他の等しく有効な実施形態をも含みうるものであることに注意されたい。
【００１０】
また、理解し易くするために、可能な限り、図において共通な同一要素を示すため同一の参照符号を使用している。
【好ましい実施形態の詳細な説明】
【００１１】
本発明の原理によれば、ヒューズによる電力制限、フィルタリング、シールディング及びインピーダンス制御のうちの１つ又はそれ以上のものを内部的にサポートする本発明のＶＧＡコネクタを使用して改善されたグラフィック性能が与えられる。本発明のＶＧＡコネクタは多くの点で利点を有しているが、それは標準のＶＧＡコネクタ及びピンアウトと寸法的に互換性があり、相手となるコネクタに嵌合される。少なくとも幾つかの実施形態は、一体型のＤＡＣを含み、アナログ出力を行うようにする。
【００１２】
便宜のため、標準のＶＧＡピンアウトについて以下に説明する。ピンアウトは標準化されているので、以下では特定のピンについては説明しない。むしろ、以下では、パワー、ロジック信号及びアナログ電圧に関連してピン及び接続について説明する。
ピン１        赤出力
ピン２        緑アウト
ピン３        青アウト
ピン４        モニターＩＤ２イン
ピン５        グランド
ピン６        赤リターン
ピン７        緑リターン
ピン８        青リターン
ピン９        ピンなし
ピン１０      同期リターン
ピン１１      モニターＩＤ０イン
ピン１２      モニターＩＤ１イン
ピン１３      水平同期アウト
ピン１４      垂直同期アウト
ピン１５      予約済み（モニターＩＤ３）
【００１３】
これらピンのうちのいくつかのものは、公称７５オーム負荷にてアナログ０．７ボルト（Ｖｐ-ｐ）を通し、一方、他のピンは、ＴＴＬレベルにて動作する。
【００１４】
図１は、本発明の原理によるＶＧＡコネクタ１００を例示する斜視図である。このＶＧＡコネクタ１００は、包囲導電性シールドから延びるピン保持モールドアセンブリ１０２を含む。アセンブリ１０２は、導電性シールド１０６に嵌合する導電性シュラウド１０４によって部分的に覆われており、その導電性シュラウド内へと延びている。このアセンブリ１０２及びその導電性シュラウド１０４との関係については、図２に最も良く示されている。このＶＧＡコネクタは、回路板に取り付けるためのピン１０８を含む。このＶＧＡコネクタ１００は、また、相手となる雄コネクタの保持ねじを受け入れるねじ溝１１０を含む。シールド１０６及びシュラウド１０４は、ＶＧＡコネクタ１００内の種々な構成要素に対する静電遮蔽及び物理的保護を行う。ここで注意すべき点は、ピン１０８のパターン、ねじ溝の位置及び寸法並びにアセンブリ１０２及びシュラウド１０４の物理的寸法及び位置は、標準のＶＧＡコネクタに見られる対応する構造と同じであるということである。従って、このＶＧＡコネクタ１００は、標準のＶＧＡ雄コネクタに嵌合されるものである。
【００１５】
図２は、このＶＧＡコネクタ１００の分解部品配列図である。図示されるように、シュラウド１０４は、シールド１０６の孔２１０と整列する穴２０８を含む。ねじ溝１１０は、フォーク状体２１２の一部であり、ＶＧＡコネクタの組み立て時に孔２１０及び穴２０８と整列する。フォーク状体２１２は、ピン１０８を保持するピンホルダー２３０のスロット２１４を通して延びる。フォーク状体２１２は、標準のＶＧＡコネクタの対応する特徴と一致するような寸法とされ且つ配置されている。回路板に取り付けられるとき、フォーク状体２１２は、回路板取付け穴と整列する。
【００１６】
図１及び図２を参照するに、１５本の雌ピン２２０がアセンブリ１０２内へ延びており、これら雌ピン２２０の各々は、９０度折り曲げられた細長い本体を有している。これらピンは、アセンブリ１０２から回路板２５０へと延びている。回路板２５０は、ピンに対する電子フィルタを構成する複数の電子的構成要素を含み、ある幾つかの実施形態では、デジタル−アナログコンバータ（後述する）を含む。回路板２５０は、又、ピン１０８に接続する。上記は回路板２５０を説明したものであるが、実際には、任意の型の相互接続手段を使用することができる。
【００１７】
前述したように、ＶＧＡコネクタ１００は、標準ＶＧＡ雄コネクタに嵌合するように、標準のＶＧＡコネクタと一致するような物理的寸法とされる。しかしながら、ＶＧＡコネクタ１００は、非標準回路板２５０、細長い曲げられた雌ピン２２０、保護シールド１０６及び以下に説明する種々な電子的構成要素を含む。
【００１８】
図３は、回路板２５０に取り付けられるフィルタアセンブリ３００を例示する概略図である。このフィルタアセンブリ３００の目的は、電気的ノイズ及びリンギングを減少させ、雌ピン２２０から出力される信号に対して制御されたインピーダンスを与えることである。フィルタアセンブリ３００は、３つの型のフィルタを備えて構成される。第１のフィルタ３１０は、出力パワー（５Ｖ）をフィルタリング（ろ波）する。この第１のフィルタ３１０は、ヒューズ３１２を通して５ボルトに接続するインダクタ及びキャパシタを含む。第２の型のフィルタ３２０は、ロジック信号をろ波するのに使用される。このフィルタは、インダクタと直列の小抵抗及びグランドへのキャパシタを備える。このフィルタは、ロジックラインのリンギングを減少させる。第３の型のフィルタ３３０は、外部モニターを駆動する赤、緑及び青出力をろ波する。これらの出力の各々は、典型的には、デジタル−アナログコンバータ（ＤＡＣ）によって生成される。これらフィルタ３３０は、負荷抵抗と並列な容量性入力パイ（π型）フィルタを備える。ＶＧＡコネクタ１００のサイズが比較的に小さいので、これら種々な電子的構成要素は、サーフェスマウント（表面取付け型）デバイスで構成される。
【００１９】
ほとんど（場合によっては全て）の用途において、ＶＧＡコネクタ１００にフィルタを設けるのが有利であるが、ある幾つかの用途では、ＶＧＡコネクタ１００内に赤、青及び緑出力を生成するデジタル−アナログコンバータを取り付けるのが有利である。こうするための１つの理由は、アナログ信号の信号路長を均一とし及び／又は減少させて、性能を改善するためである。例えば、図４は、アナログカラー信号を生成するための一般的な従来のレイアウト４００を例示している。この従来のシステム４００は、従来のＶＧＡコネクタ４０２及びデジタル−アナログコンバータ４０４を含み、これらＶＧＡコネクタ４０２及びデジタル−アナログコンバータ４０４の両者は、グラフィックカード４０１上に取り付けられている。デジタル−アナログコンバータ４０４は、デジタル駆動装置４０６からそのデジタル入力を受け取る。デジタル−アナログコンバータ４０４は、ＶＧＡコネクタ４０２へ引かれたライン４０８にてその出力を送り、そこからビデオモニターへと送る。ライン４０８の長さは、標準化されていない。その上、各カラーに対して１つずつの３つの異なるデジタル−アナログコンバータ４０４が必要とされるので、３つの異なる長さのライン４０８が同じグラフィックカード４０１上に存在してしまうことになる。それらライン４０８の長さを減少させ、及び／又はそれらライン４０８の長さを均一とすることは効果のあることである。
【００２０】
図５は、本発明の原理によるグラフィックレイアウト５００を例示している。このレイアウト５００は、印刷回路板５０１及びＶＧＡコネクタ５０２を含み、そのＶＧＡコネクタ５０２は、回路板２５０上に少なくとも１つの（好ましくは全て）デジタル−アナログコンバータ４０４を含む以外は、ＶＧＡコネクタ１００とほとんど同様である。デジタル−アナログコンバータ４０４の出力部は、ライン５０８に接続され、そのラインは非常に短くできる。その上、デジタル駆動装置４０６からのデジタル信号（このデジタル信号はノイズに対して特に影響を受けやすいというわけではない）は、回路板設計者の設計上の都合で、回路板５０１を横切るような経路とすることができる。
【００２１】
本発明の実施形態について説明してきたが、本発明の基本的範囲から逸脱することなく本発明の他の種々な実施形態が可能であり、従って、本発明の範囲は、特許請求の範囲の記載によって定められる。
【図面の簡単な説明】
【００２２】
【図１】本発明の原理によるＶＧＡコネクタを例示する斜視図である。
【図２】図１に例示したＶＧＡコネクタの分解部品配列図である。
【図３】図１及び図２に例示したＶＧＡコネクタの内部のフィルタアセンブリの概略図である。
【図４】回路板上の従来のＤＡＣグラフィック駆動装置及びＶＧＡコネクタを示す概略図である。
【図５】ＤＡＣへデジタル信号を供給する回路板上に一体型のＤＡＣ駆動装置を有するＶＧＡコネクタを示す概略図である。
【符号の説明】
【００２３】
１００・・・ＶＧＡコネクタ、１０２・・・ピン保持モールドアセンブリ、１０４・・・導電性シュラウド、１０６・・・導電性シールド、１０８・・・ピン、１１０・・・ねじ溝、２０８・・・穴、２１０・・・孔、２１２・・・フォーク状体、２１４・・・スロット、２２０・・・雌ピン、２３０・・・ピンホルダー、２５０・・・非標準回路板、３００・・・フィルタアセンブリ、３１０・・・第１のフィルタ、３１２・・・ヒューズ、３２０・・・第２の型のフィルタ、３３０・・・第３の型のフィルタ、４００・・・従来のシステム、４０１・・・グラフィックカード、４０２・・・従来のＶＧＡコネクタ、４０４・・・デジタル−アナログコンバータ、４０６・・・デジタル駆動装置、４０８・・・ライン、５００・・・グラフィックレイアウト、５０１・・・印刷回路板、５０２・・・ＶＧＡコネクタ、５０８・・・非常に短いライン
【図１】
2008510279.tif 000003
【図２】
2008510279.tif 000004
【図３】
2008510279.tif 000005
【図４】
2008510279.tif 000006
【図５】
2008510279.tif 000007
【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
ビデオグラフィックコネクタであって、
複数の細長いピンと、
前記細長いピンを保持するためのピン保持構造体と、
導電性シュラウドと、
導電性シールドと、
当該ビデオグラフィックコネクタ内の相互接続手段及び複数のコネクタピンと、
前記シュラウド内にあって前記複数の細長いピンを通して信号出力を行うための少なくとも１つのフィルタ及び少なくとも１つのデジタル−アナログコンバータと、
を備え、
前記相互接続手段は、前記複数の細長いピンと前記複数のコネクタピンとの間の電気的接続を行い、
前記導電性シュラウド及び前記導電性シールドは、静電遮蔽を行い、
当該ビデオグラフィックコネクタは、相手となる標準のビデオグラフィックコネクタに嵌合する寸法とされる、ビデオグラフィックコネクタ。
【請求項２】
前記相互接続手段は、出力パワーをヒューズにより制限しフィルタリングするためのヒューズ付きのパワーラインフィルタを含む、請求項１に記載のビデオグラフィックコネクタ。
【請求項３】
前記相互接続手段は、アナログ出力をフィルタリングするためのアナログ信号フィルタを含む、請求項１に記載のビデオグラフィックコネクタ。
【請求項４】
前記相互接続手段は、ロジック信号をフィルタリングするためのロジックフィルタを含む、請求項１に記載のビデオグラフィックコネクタ。
【請求項５】
前記相互接続手段は、前記複数の細長いピン及び前記複数のコネクタピンを通してアナログ出力を行うためのデジタル−アナログコンバータを含む、請求項１に記載のビデオグラフィックコネクタ。
【請求項６】
内部空間を形成するシールドと、
前記シールドから延び、各々が前記内部空間内に曲がり部を有する細長い雌ピンを有するモールドアセンブリと、
前記シールドを越して延びている前記モールドアセンブリの部分に亘って延びるシュラウドと、
前記シールドから延びる複数の板コネクタと、
前記内部空間にあって、複数の前記雌ピンと前記板コネクタとの間の電気的接続を行うための相互接続手段と、
を備え、
前記シュラウド及び前記シールドは、静電遮蔽を行い、
前記相互接続手段は、前記シュラウド内にあって前記複数の雌ピンを通してアナログ出力を行うためのデジタル−アナログコンバータを含む、ビデオグラフィックコネクタ。
【請求項７】
前記内部空間に配置されるねじ溝を有するフォーク状ねじ溝構造体を更に含み、
前記シールド及び前記シュラウドは、前記ねじ溝と整列するねじ開口を含み、
前記フォーク状ねじ溝構造体は、外部構造体に取り付けできるように前記シールドから部分的に延びており、
当該ビデオグラフィックコネクタは、相手となる標準のビデオグラフィックコネクタに嵌合する寸法とされる、請求項６に記載のビデオグラフィックコネクタ。
【請求項８】
前記相互接続手段は、出力パワーをヒューズにより制限しフィルタリングするためのヒューズ付きのパワーラインフィルタを含む、請求項６に記載のビデオグラフィックコネクタ。
【請求項９】
前記相互接続手段は、アナログ出力をフィルタリングするためのアナログ信号フィルタを含む、請求項６に記載のビデオグラフィックコネクタ。
【請求項１０】
前記相互接続手段は、ロジック信号をフィルタリングするためのロジックフィルタを含む、請求項６に記載のビデオグラフィックコネクタ。
【国際調査報告】
2008510279.tif 000008
2008510279.tif 000009
2008510279.tif 000010
2008510279.tif 000011
2008510279.tif 000012